(57)【要約】【課題】電気式空気清浄機を簡便な構成により容易に、且つ正確に着脱できるようにした空気調和機を提供する。【解決手段】前面パネル４が、吸込口２を備えた上部パネル４ａと、吹出口３を備えた下部パネル４ｂとで構成される一方、電気式空気清浄機８を着脱する着脱装置が、前記電気式空気清浄機８の後部両側および前記上部パネル４ａに設けられた着脱可能な枢支部９と、前記電気式空気清浄機８の前部および前記下部パネル４ｂに設けられた係脱可能な係止部１０とで構成され、前記電気式空気清浄機８は、その前部が少許低くなるように傾斜させて装着した。【選択図】　図１
2004084973.tif 000002
【特許請求の範囲】
【請求項１】
本体を構成するベースの前部に、吸込口と吹出口とを上下部に備えた前面パネルを装着し、前記吸込口と前記吹出口とを結ぶ空気通路を形成する前記ベースの一側に熱交換器と送風ファンとを設け、他側に電装品箱を設けると共に、電源コードを接続する端子盤を設けてなる空気調和機において、
前記前面パネルを、前記吸込口を備えた上部パネルと、前記吹出口を備えた下部パネルとで構成する一方、前記電装品箱の上部に前記端子盤を設け、前記上部パネルに前記端子盤を臨ませた開口部を設けると共に、同開口部に着脱自在な開閉蓋を設け、前記開口部の縁部に前記端子盤に接続された前記電源コードを本体の背面側に導く導出路を形成してなることを特徴とする空気調和機。
【請求項２】
前記導出路が、前記開口部を臨ませた凹陥部からなることを特徴とする請求項１に記載の空気調和機。
【請求項３】
前記導出路の背面側に、前記電源コードを挿通する挿通溝を連続形成してなることを特徴とする請求項２に記載の空気調和機。
【請求項４】
前記開閉蓋が、分割された前記上部パネルの一部として同一形状で形成されてなることを特徴とする請求項１に記載の空気調和機。
【発明の詳細な説明】
【０００１】
【発明の属する技術分野】
本発明は、空気調和機に係わり、より詳細には、接続および配線が容易で据付時の施工性が良好な電源コードの引き回し構造に関する。
【０００２】
【従来の技術】
従来の空気調和機は、例えば図４（Ａ）で示すように、本体Ａを構成するベース１の前部に、吸込グリル４ｃを有する吸込口２と、吹出口３とを上下部に備えた前面パネル４を装着し、前記吸込口２と前記吹出口３とを結ぶ空気通路を形成する前記ベース１の一側に熱交換器と送風ファンとを設け、他側に基板７ａ等を備えた電装品箱７を設けると共に、同電装品箱７の下部後方に電源コード８を接続する端子盤９を設けてなり、被空気調和室の壁面Ｂに壁掛設置され、同壁面Ｂに穿設された透孔Ｃから前記電源コード８や、図示しない接続配管およびドレンホースなどが導出されるようにしてなる構成であった。
【０００３】
しかしながら、前記端子盤９が前記電装品箱７の下部後方に設けられた構成であるため、前記前面パネル４の底部に前記端子盤９を臨ませた開口部を設けると共に、この目立ちやすい位置に設けられた開口部を開閉するアンダーカバーｂを設ける必要が生じることになり、外観性を損ねてしまうという問題点を有していた。
【０００４】
また、例えば図４（Ｂ）で示すように、前記端子盤９を前記電装品箱７の前部に設け、前記前面パネル４に前記端子盤９を臨ませた開口部を設けると共に、同開口部を開閉するカバーｃを設けた場合には、同カバーｃを前記吸込グリル４ｃで覆うことができて外観性を損ねてしまうということがなくなる反面、前記電源コード８を前記端子盤９から本体Ａの背面まで引き回す作業が困難であるため、施工性が悪いという問題点を有していた。
【０００５】
【発明が解決しようとする課題】
本発明は、上記問題点に鑑み、接続および配線が容易で据付時の施工性が良好な電源コードの引き回し構造を有する空気調和機を提供することを目的とする。
【０００６】
【課題を解決するための手段】
本発明は、上記課題を解決するため、本体を構成するベースの前部に、吸込口と吹出口とを上下部に備えた前面パネルを装着し、前記吸込口と前記吹出口とを結ぶ空気通路を形成する前記ベースの一側に熱交換器と送風ファンとを設け、他側に電装品箱を設けると共に、電源コードを接続する端子盤を設けてなる空気調和機において、
前記前面パネルを、前記吸込口を備えた上部パネルと、前記吹出口を備えた下部パネルとで構成する一方、前記電装品箱の上部に前記端子盤を設け、前記上部パネルに前記端子盤を臨ませた開口部を設けると共に、同開口部に着脱自在な開閉蓋を設け、前記開口部の縁部に前記端子盤に接続された前記電源コードを本体の背面側に導く導出路を形成してなる構成となっている。
【０００７】
また、前記導出路が、前記開口部を臨ませた凹陥部からなる構成となっている。
【０００８】
また、前記導出路の背面側に、前記電源コードを挿通する挿通溝を連続形成してなる構成となっている。
【０００９】
更に、前記開閉蓋が、分割された前記上部パネルの一部として同一形状で形成されてなる構成となっている。
【００１０】
【発明の実施の形態】
以下、本発明の実施の形態を図面に基づいた実施例として詳細に説明する。
図１は本発明による空気調和機の断面図であり、図２は本発明による空気調和機の説明図で、（Ａ）は斜視図、（Ｂ）は要部分解斜視図であり、図３は本発明による空気調和機の要部説明図で、（Ａ）は分解斜視図、（Ｂ）は分解断面図である。
【００１１】
本発明による空気調和機は、図１と、図２（Ａ）および図２（Ｂ）とで示すように、本体Ａを構成するベース１の前部に、吸込口２を備えた上部パネル４ａと、吹出口３を備えた下部パネル４ｂとからなる前面パネル４が装着されている。
【００１２】
前記吸込口２と、前記吹出口３とを結ぶ空気通路を形成する前記ベース１の一側には、熱交換器５および送風ファン６が設けられると共に、前記熱交換器５の下部には露受けａが設けられ、他側には、基板７ａを備えた電装品箱７が設けられると共に、電源コード８を接続する端子盤９が設けられている。
【００１３】
前記吸込口２は、略水平状の形成された前記上部パネル４ａの後部から、前端部が低くなるように傾斜させた前記上部パネル４ａの前部をなす傾斜部にわたって形成されており、この傾斜部に形成された吸込口２は、回動可能に、且つ着脱可能に設けられた吸込グリル４ｃからなる構成となっている。
【００１４】
前記端子盤９は、図３（Ａ）および図３（Ｂ）で示すように、前記電装品箱７の上部に設けられる一方、前記上部パネル４ａには、前記端子盤９を臨ませるようにした開口部１０が設けられると共に、同開口部１０には着脱自在な開閉蓋１１が設けられている。
【００１５】
また、前記開口部１０の縁部には、前記端子盤９に接続された前記電源コード８を本体Ａの背面側に導くための凹陥部からなる導出路１２が形成された構成となっている。
【００１６】
以上の構成により、次にその動作について説明する。
図３（Ａ）および図３（Ｂ）で示すように、前記電源コード８を、前記端子盤９に接続して本体Ａの背面側に導出する際、前記開閉蓋１１を取り外して前記開口部１０を開放し、前記端子盤９に前記電源コード８を接続する。
【００１７】
前記端子盤９に接続された前記電源コード８は、前記導出路１２に沿って被空気調和室の壁面Ｂに壁掛設置された本体Ａの背面側に導かれ、図示しない接続配管およびドレンホースなどといっしょに前記壁面Ｂに穿設された透孔Ｃから導出されて、図示しない室外機に接続されることになる。
【００１８】
その際、前記開閉蓋１１を取り外すことによって、前記電源コード８を前記端子盤９に容易に接続できると共に、接続された前記電源コード８は、前記導出路１２に沿って本体Ａの背面側に容易に、且つ正確に導けるので、これら一連の作業性を向上させることができて、本体Ａを据付設置する時の施工性を良好にすることができる。
【００１９】
また、前記開閉蓋１１は、分割された前記上部パネル４ａの一部として同一形状で連続的に形成されることにより、該個所の外観性を良好に保つことができるようになる。
【００２０】
なお、前記導出路１２は、前記開口部１０の縁部を凹陥状に形成しただけの簡便な構成であるから、その上部から前記電源コード８を容易に収容できると共に、該個所の強度を増強させて正確に収容できるようになる。
【００２１】
また、前記導出路１２の背面側には、前記電源コード８を挿通する挿通溝１３を連続形成しているので、前記導出路１２から導出させた前記電源コード８を、本体Ａの背面側に正確に導いて前記壁面Ｂの透孔Ｃから容易に導出できる。
【００２２】
【発明の効果】
以上説明したように、本発明によると、接続および配線が容易で据付時の施工性が良好な電源コードの引き回し構造を備えた空気調和機となる。
【図面の簡単な説明】
【図１】本発明による空気調和機の断面図である。
【図２】本発明による空気調和機の説明図で、（Ａ）は斜視図であり、（Ｂ）は要部分解斜視図である。
【図３】本発明による空気調和機の要部説明図で、（Ａ）は分解斜視図であり、（Ｂ）は分解断面図である。
【図４】従来例による空気調和機の説明図で、（Ａ）は一例を示す断面図であり、（Ｂ）は他の例を示す断面図である。
【符号の説明】
Ａ　空気調和機本体
Ｂ　壁面
Ｃ　透孔
１　ベース
２　吸込口
３　吹出口
４　前面パネル
４ａ　上部パネル
４ｂ　下部パネル
４ｃ　吸込グリル
５　熱交換器
６　送風ファン
７　電装品箱
７ａ　基板
８　電源コード
９　端子盤
１０　開口部
１１　開閉蓋
１２　導出路
１３　挿通溝
ａ　露受け
【図１】
2004084973.tif 000003
【図２】
2004084973.tif 000004
【図３】
2004084973.tif 000005
【図４】
2004084973.tif 000006